(57)【要約】【課題】少なくとも１つの撮像パラメータの設定操作を省略して、素早く撮像指示を行うことができる撮像装置を提供すること。【解決手段】筺体に取り付けられた円筒形状の操作部材と、前記操作部材の操作および操作方向を検出する検出手段とを有し、撮像パラメータの設定が可能な撮像装置において、前記操作部材は、その半径方向で複数方向に操作可能であり、前記検出手段により、前記操作部材の操作および操作方向が検出されると、各操作方向に割り当てられた所定の撮像パラメータの設定値にて、撮像指示を行うことを特徴とする。【選択図】図１
2017062276.tif 000002
【特許請求の範囲】
【請求項１】
筺体に取り付けられた円筒形状の操作部材（３）と、前記操作部材（３）の操作および操作方向を検出する検出手段（１４）とを有し、撮像パラメータの設定が可能な撮像装置において、前記操作部材（３）は、その半径方向で複数方向に操作可能であり、前記検出手段（１４）により、前記操作部材（３）の操作および操作方向が検出されると、各操作方向に割り当てられた所定の撮像パラメータの設定値にて、撮像指示を行うことを特徴とする撮像装置。
【請求項２】
前記筺体は、画面表示部（８）を有し、前記操作部材（３）の操作方向と各操作方向に割り当てられた撮像パラメータの設定値を表示することを特徴とする請求項１に記載の撮像装置。
【請求項３】
前記筺体は、画面表示部（８）と、前記画面表示部（８）の表面に、タッチ操作可能な第２の操作部材を有し、前記第２の操作部材のタッチ操作に応じて、前記操作部材（３）の操作検出時に設定される撮像パラメータの種類を決定することを特徴とする請求項１又は請求項２に記載の撮像装置。
【請求項４】
前記撮像パラメータの設定値は、数字で表現されるものとし、前記操作部材（３）の各操作方向に対して、前記撮像パラメータの設定値が小さい数字から順番に割り当てられることを特徴とする請求項１乃至請求項３の何れか一項に記載の撮像装置。
【発明の詳細な説明】
【技術分野】
【０００１】
本発明は、撮像パラメータの設定が可能な撮像装置に関する。
【背景技術】
【０００２】
近年、筺体小型化のため、各撮像パラメータの設定を行うための操作部材を減らして、画面表示手段に表示されるメニュー表記を確認しつつ、十字キー、回転操作部材、タッチパネル等を操作することで、様々な撮像パラメータを設定する撮像装置が知られている。
【０００３】
しかし、上記の撮像装置にて、撮像パラメータの種類が多い場合、メニュー表記が複数階層となり、十字キー等を複数回操作する必要があるため、設定に時間が掛かり、撮像機会を逃してしまうことがある。
【０００４】
この問題に対し、第１の操作手段と、タッチ操作を受け付け可能な第２の操作手段と、第２の操作手段に対するタッチ操作がない状態で第１の操作手段に対する操作があると、第１の種別のパラメータを変更し、第２の操作手段に対するタッチ操作がある状態で第１の操作手段に対する操作があると、少なくとも第２の種別と第３の種別とを含む複数の種別のうち、タッチ操作に応じた種別のパラメータを変更するように制御する制御手段と、を有することを特徴とする電子機器が、特許文献１によって紹介されている。
【先行技術文献】
【特許文献】
【０００５】
【特許文献１】特開２０１４−０４２１６４号公報
【発明の概要】
【発明が解決しようとする課題】
【０００６】
しかしながら、上述の電子機器では、各撮像パラメータを全て設定した後に、撮影指示部材を操作するため、時間を要してしまう。
【０００７】
そこで、本発明の目的は、少なくとも１つの撮像パラメータの設定操作を省略して、素早く撮像指示を行うことができる撮像装置を提供することを目的とする。
【課題を解決するための手段】
【０００８】
上記の目的を達成するために、本発明に係る撮像装置は、
筺体に取り付けられた略円筒形状の操作部材と、前記操作部材の操作および操作方向を検出する検出手段とを有し、撮像パラメータの設定が可能な撮像装置において、前記操作部材は、その半径方向で複数方向に操作可能であり、前記検出手段により、前記操作部材の操作および操作方向が検出されると、各操作方向に割り当てられた所定の撮像パラメータの設定値にて、撮像指示を行うことを特徴とする。
【発明の効果】
【０００９】
本発明によれば、少なくとも１つの撮像パラメータの設定操作を省略して、素早く撮像指示を行うことができる撮像装置を提供することを目的とする。
【図面の簡単な説明】
【００１０】
【図１】デジタルカメラ外観  斜視図
【図２】レリーズリング機構  分解図
【図３】レリーズリング機構  説明図
【図４】画面表示部  撮像パラメータ  操作
【図５】画面表示部  撮像パラメータ値  表示
【発明を実施するための形態】
【００１１】
［実施例１］       
本発明の好ましい実施の形態を、添付の図面に基づいて詳細に説明する。尚、以下に説明する実施の形態は、本発明の実現手段としての一例であり、本発明は、その趣旨を逸脱しない範囲で下記実施形態を修正又は変形したものに適用可能である。
【００１２】
図１は本発明の実施形態であるデジタルカメラ１本体の外観図である。図１（ａ）は本体前面側斜視図であり、図１（ｂ）は本体背面側斜視図である。
【００１３】
デジタルカメラ１の筐体前面には、被写体像を撮像素子に結像する沈胴式の光学系撮影レンズ鏡筒２が備わっている。撮影レンズ鏡筒２には、光学像を光電変換して画像デ−タを生成するＣＣＤやＣＭＯＳイメ−ジセンサ等の撮像素子（不図示）が実装されている。撮像素子（不図示）で生成した画像デ−タは、デジタルカメラ１に実装された信号処理基板（不図示）の処理回路によりデジタル情報に変換される。
【００１４】
信号処理基板には、カードＩ／Ｆ等を含む記録媒体スロットや撮像部、画像処理部、システム制御部、シリアルＩ／Ｆ等が実装されている。撮影レンズ鏡筒２の外周には、撮像準備および撮像操作の指示を行うレリーズリング３が設けられている。レリーズリング３は、撮影レンズ鏡筒２の光軸を中心とした円筒形状であり、レリーズリング３の中心軸に垂直で、筺体の上下左右の４方向（矢印Ａ〜矢印Ｄ）に２段押圧操作が可能となっている。
【００１５】
レリーズリング３を各々の方向に半押し操作すると、撮影準備動作（測光動作や測距動作等）が開始される。レリーズリング３を各々の方向に全押し操作すると、被写体を撮影し、収納室に挿着した記録媒体に被写体像の画像デ−タを記録する。レリーズリング３の撮影レンズ鏡筒２の光軸後方には、撮影レンズ鏡筒２の光軸を中心に所定の角度で回動し、撮影画角の変更を行うズームリング４が配置されている。デジタルカメラ１の筺体前面から見て時計回りに回転させると、撮影レンズ鏡筒２がワイド側（画角が広がる方向）にズ−ム動作を行い、逆に反時計回りに回転させると撮影レンズ鏡筒２がテレ側（画角が狭くなる方向）にズ−ム動作を行う。
【００１６】
デジタルカメラ１の筺体側面には、デジタルカメラ１の電源オンとオフの操作を行う電源ボタン５が配置されている。その反対側面には、コネクタカバー６が配置され、各種外部デバイスに接続するためにプリント基板上に実装された端子類を保護する。本実施の形態では、テレビ受信機等の外部映像デバイスに接続するためのアナログビデオ端子、外部直流電源に接続するための電源端子、ＰＣ等に接続するためのデジタル端子のうち少なくとも１つを備えるものとする。
【００１７】
さらに、各種撮影モードの切り替えを行うモードレバー７が設けられる。モードレバー７はデジタルカメラ１の筺体に対し、並進可能に支持されている。モードレバー７の上部には、各種の撮影モードに応じた指標(不図示)が印刷されており、モードレバー７を指標の位置に合わせることで、指標に応じた撮影モードの設定を行うことができる。
【００１８】
デジタルカメラ１の筺体背面には、撮影前のスルー画像や、撮影画像、各種撮影条件を表示する液晶表示部８が設けられる。液晶表示部８には、タッチセンサーが内蔵され、撮像パラメータの変更、液晶表示部８の表示形式の変更といった機能を選択する際に利用する。
【００１９】
また液晶表示部８は、デジタルカメラ１の筺体上部に設けられた回転軸を中心として、９０°の範囲で回動させることができ、筺体上面側からの液晶表示部８の視認性を向上させている。
【００２０】
デジタルカメラ１の筺体底面には、電池蓋９、記録媒体蓋１０があり、各々電池、記録媒体を収納する収納室を開閉可能としている。電池蓋９、記録媒体蓋１０を開くことで、収納室が開口し、電池、記録媒体が挿脱可能になる。
【００２１】
次に、図２、図３を用いて、レリーズリング３の操作機構を説明する。なお、説明のため、ズームリング４の機構は省略している。
【００２２】
図２はレリーズリング３の操作機構の分解図である。
【００２３】
レリーズリング３の操作機構は、レリーズリング３、フロントカバー１１、インナーフロント１３、４つのレリーズスイッチ１４ａ、１４ｂ、１４ｃ、１４ｄ、インナーリング１５、付勢部材１６で構成されている。
【００２４】
フロントカバー１１は、デジタルカメラ１の前面側外装部品であり、撮影レンズ鏡筒２や、内部部品の一部を通過させるために、撮影レンズ鏡筒２の光軸を中心とした円状の穴が形成されている。
【００２５】
インナーフロント１３は、既知の樹脂で成形されたモールド部品であり、両面テープ１２によりフロントカバー１１の内部面に固定され、一体化される。インナーフロント１３には、後述する４つの垂直壁１３ａ、ガイド溝１３ｂが形成されている。４つの垂直壁１３ａは、撮影レンズ鏡筒２の光軸を中心とした同円周上に、デジタルカメラ１の上下左右の９０°毎に配置され、各々、撮影レンズ鏡筒２の光軸と平行かつ光軸側を向いた面を有する。
【００２６】
４つのレリーズスイッチ１４ａ、１４ｂ、１４ｃ、１４ｄは、図３（ａ）に示すように、垂直壁１３ａに両面テープ等で各々固定され、不図示のフレキシブル基板により、不図示の信号処理基板に接続され、２段階の押圧操作を検出することができる。
【００２７】
インナーリング１５は、既知の樹脂で成形されたモールド部品である。インナーリング１５とレリーズリング３は、フロントカバー１１とインナーフロント１３とで挟持され、レリーズリング３の爪３ａとインナーリング１５のフック１５ｅが係合することで固定され、一体となって動く。インナーリング１５には、後述する４つの押し子１５ａ、１５ｂ、１５ｃ、１５ｄとガイドリブ１５ｆが形成されている。
【００２８】
付勢部材１６は、円筒形状であり、弾性を有するシリコンゴムで成形され、インナーリング１５の円筒部に撓ませながら組み込む。続いて、図３（ａ）を用いて、レリーズリング３の操作方向の規制について説明する。インナーリング１５に形成されたガイドリブ１５ｆが、組立状態において、インナーフロント１３に形成されたガイド溝１３ｂに挿入される。ガイド溝１３ｂは、デジタルカメラ１の上下左右に溝が伸びた十字形状なので、インナーリング１５の移動方向は、ガイド溝１３ｂの十字方向のみに規制される。すなわち、レリーズリング３の操作方向は、デジタルカメラ１の上下左右である図１の矢印Ａ，Ｂ，Ｃ，Ｄ方向のみに規制される。
【００２９】
次に、図３（ｂ）を用いて、レリーズリング３の非操作時の中立位置出しについて説明する。インナーリング１５の円筒部に組まれた付勢部材１６は、インナーフロント１３に形成された付勢部材１６と略同一径である円筒リブ１３ｃに対して、全周が当接した状態で組まれる。レリーズリング３非操作時は、付勢部材１６が、円筒リブ１３ｃに全周均等に当接するため、レリーズリング３は、その中心軸が撮影レンズ鏡筒２の光軸と一致する位置となるように付勢される。
【００３０】
図３（ｃ）は図３（ａ）におけるレリーズスイッチ１４ｃ近傍の拡大図である。
【００３１】
インナーリング１５には、図３（ｃ）に示すように、垂直壁１３ａに固定されたレリーズスイッチ１４ｃに対向する位置に、所定のクリアランスを有して、押し子１５ｃが形成されている。同様にレリーズスイッチ１４ａ、１４ｂ、１４ｄに対向する位置には、各々押し子１５ａ、１５ｂ、１５ｄが形成されている。
【００３２】
レリーズリング３を図１の矢印Ａ方向に操作した場合、押し子１５ａが、レリーズスイッチ１４ａを押圧することで、矢印Ａ方向の操作を検出することができる。この時、付勢部材１６が、インナーフロント１３の円筒リブ１３ｃに対して押し込まれているため、ユーザーがレリーズリング３から手を離すと、レリーズリング３に操作方向と逆方向の反発力が働き、非操作時の中立位置に戻る。
【００３３】
同様に、レリーズリング３を図１の矢印Ｂ、Ｃ、Ｄ方向に各々操作した場合、押し子１５ｂ、１５ｃ、１５ｄが、各々レリーズスイッチ１４ｂ、１４ｃ、１４ｄを押圧することで、矢印Ｂ，Ｃ，Ｄ方向の操作を検出することができる。この時、矢印Ａ方向の操作と同様に、ユーザーがレリーズリング３から手を離すと、レリーズリング３に操作方向と逆方向の反発力が働き、非操作時の中立位置に戻る。
【００３４】
本実施の形態では、上記のレリーズリング３の操作検出機構を用いて、レリーズリング３の各々の操作方向に対し、所定の撮像パラメータの設定値を１つずつ割り当てる。レリーズリング３を所望の設定値が割り当てられた方向に１段目の押圧操作することで、その撮影パラメータの設定値が設定され、引き続き２段目の押圧操作をすると、その設定で撮像を実行する。
【００３５】
設定する撮像パラメータとしては、露出補正、ＩＳＯ感度、連写枚数、シャッター速度、セルフタイマーの時間等が有る。液晶表示部８に搭載されたタッチセンサーを利用して、図４に示すように、ユーザーが液晶表示部８に表示されたアイコンをタッチすることで、レリーズリング３の操作により設定される撮像パラメータを決定することができる。
【００３６】
露出補正を割り当てる場合は、露出補正アイコン１７をタッチしながら、レリーズリング３の操作を行う。矢印Ａ方向に操作した時は−１、矢印Ｂ方向に操作した時は±０、矢印Ｃ方向に操作した時は＋１/２、矢印Ｄ方向に操作した時は＋１の設定で、撮像を実行する。
【００３７】
ＩＳＯ感度を割り当てる場合は、ＩＳＯ感度アイコン１８をタッチしながら、レリーズリング３の操作を行う。矢印Ａ方向に操作した時はＩＳＯ１００、矢印Ｂ方向に操作した時はＩＳＯ２００、矢印Ｃ方向に操作した時はＩＳＯ８００、矢印Ｄ方向に操作した時はＩＳＯ１６００の設定で、撮像を実行する。
【００３８】
連写枚数を割り当てる場合は、連写枚数アイコン１９をタッチしながら、レリーズリング３の操作を行う。矢印Ａ方向に操作した時は１枚のみの撮影、矢印Ｂ方向に操作した時は２枚連写、矢印Ｃ方向に操作した時は５枚連写、矢印Ｄ方向に操作した時は１０枚連写にて、撮像を実行する。
【００３９】
この時、レリーズリング３の操作方向に対して割り当てる撮像パラメータの設定値をユーザーが自由に設定可能としてもよい。また、割り当てる設定値は、矢印Ａ方向から矢印Ｄ方向までの操作に対する設定値が、小さい値から大きい値の順番となるように制限をしても良い。
【００４０】
また、図５に示したように、設定した撮像パラメータ、この場合は露出補正の設定値を、液晶表示部８にレリーズリング３の操作方向を示す矢印と共に画面表記させることで、直観的に操作しやすくする。
【００４１】
本実施の形態では、撮影指示を行うレリーズリング３の操作方向を検出することで、所定の撮影パラメータを設定して撮影することができる。そのため、例えば、露出補正を設定する場合、従来、撮影指示前に、十字キー等で行っていたメニュー画面を表示→露出補正設定メニューを選択→設定値選択→設定値決定までの一連の操作を省略することができる。
【００４２】
以上説明したように、本実施の形態により、少なくとも１つの撮像パラメータを設定する操作を省略して、素早く撮像指示を行うことができる撮像装置を提供することが可能となった。
【符号の説明】
【００４３】
１  デジタルカメラ、２  撮影レンズ鏡筒、３  レリーズリング、３ａ  爪、
４  ズームリング、５  電源ボタン、６  コネクタカバー、７  モードレバー、
８  液晶表示部、９  電池蓋、１０  記録媒体蓋、１１  フロントカバー、
１２  両面テープ、１３  インナーフロント、１３ａ  垂直壁、１３ｂ  ガイド溝、
１３ｃ  円筒リブ、１４ａ，１４ｂ，１４ｃ，１４ｄ  レリーズスイッチ、
１５  インナーリング、１５ａ，１５ｂ，１５ｃ，１５ｄ  押し子、１５ｅ  フック、
１５ｆ  ガイドリブ、１６  付勢部材、１７  露出補正アイコン、
１８  ＩＳＯ感度アイコン、１９  連写枚数アイコン
【図１】
2017062276.tif 000003
【図２】
2017062276.tif 000004
【図３】
2017062276.tif 000005
【図４】
2017062276.tif 000006
【図５】
2017062276.tif 000007